(57)【特許請求の範囲】
【請求項１】
外方に折り曲げられて回りを囲む容器縁（２）を有しかつ炊事材料を収容するために使われる容器（１）を有し、かつ外方に折り曲げられて回りを囲む蓋縁（４）を有しかつ容器（１）上に載せることができる蓋（３）を有し、容器（１）が、載せられた蓋（３）によって、容器縁（２）及び蓋縁（４）に作用する閉鎖機構により圧力密に閉じることができ、閉鎖機構が、ほぼ容器周全体にわたって延びかつその高さにおいて大体において変形不可能であるが半径開口方向に弾性変形可能な自己剛体の閉鎖リング（６）を有し、この閉鎖リングが、半径方向内方に開いたＣプロファイル横断面を有し、この閉鎖リングが、蓋（３）に配置された操作機構（７）によって、閉鎖リング（６）の下側脚（８）から容器縁（２）を釈放するので容器（１）から蓋（３）を取り外すことができる大きな直径を有する開き位置から、閉鎖リング（６）の下側脚（８）と上側脚（９）との間にパッキンリング（５）を挟んで容器縁（２）と蓋縁（４）を一緒にクランプする小さな直径を有する閉鎖位置に移行可能である、炊事容器において、閉鎖リング（６）の回りを囲む脚（８，９）が、周にわたって分配されかつ内側脚縁に向かって開いた所定の長さ及び幅の半径方向スリット（１０）を備えており、かつ／又は脚（８，９）が、周にわたって分配された中間空間（１０’）を空けて半径方向外方において回りを囲むリング状の結合要素（１１’）に取付けられて周方向に短いＣプロファイル区間（６’）によって形成されていることを特徴とする、炊事容器。
【請求項２】
スリット（１０）が、下側脚（８）及び上側脚（９）において異なった長さを有するが、Ｃプロファイル背部（１１）の前に同じ間隔を置いて終っていることを特徴とする、請求項１に記載の炊事容器。
【請求項３】
閉鎖リング（６）が、蓋（３）に取り外し可能に保持されるカバーリング（１２）において、蓋軸線に対して垂直に案内されていることを特徴とする、請求項１又は２に記載の炊事容器。
【請求項４】
閉鎖リング（６）が、蓋周に対して平行に延びた外側周肩部（１３）に接していることを特徴とする、請求項１〜３の１つに記載の炊事容器。
【請求項５】
一方において容器縁（２）及び蓋縁（４）の縁エッジが、かつ他方において閉鎖リング（６）の両方の脚（８，９）が、互いに向き合うような折り曲げ部（１４）を有することを特徴とする、請求項１〜４の１つに記載の炊事容器。
【請求項６】
閉鎖リング（６）が、その開き位置において、その直径を減少する傾向を有するように、初応力をかけられていることを特徴とする、請求項１〜５の１つに記載の炊事容器。
【請求項７】
閉鎖リング（６）の両方の端部が、力を導入するために、操作機構（７）に結合されていることを特徴とする、請求項１〜６の１つに記載の炊事容器。
【請求項８】
操作機構（７）内において、操作要素の運動から周方向における閉鎖リング（６）端部の運動への力の変換が行なわれることを特徴とする、請求項１〜７の１つに記載の炊事容器。
【請求項９】
操作機構（７）及び／又は閉鎖リング（６）が、開き位置及び／又は閉鎖位置（６）において拘束可能であることを特徴とする、請求項１〜８の１つに記載の炊事容器。
【請求項１０】
操作機構（７）に、容器内の圧力がゼロに低下した時に閉鎖機構を開放可能にするゼロ圧力安全装置が連結されていることを特徴とする、請求項１〜９の１つに記載の炊事容器。
【請求項１１】
開くために操作機構（７）を操作する際に、まず容器内部が圧力なしになるまで蒸気逃しされ、それによりゼロ圧力安全装置が、操作機構（７）の引続く操作を可能にし、閉鎖リング（６）の端部が、係止部材（１５）によってロック解除され、かつ操作要素が、閉鎖リング（６）を開くために釈放されるので、閉鎖リング（６）の端部が、周方向に互いに離れるように可動であることを特徴とする、請求項８〜１０の１つに記載の炊事容器。
【請求項１２】
操作機構が、操作要素として摺動体（１８）を有し、この摺動体（１８）によりゼロ圧力安全装置及び閉鎖リング（６）を開く回転ボタンがロック可能であることを特徴とする、請求項８〜１１の１つに記載の炊事容器。
【発明の詳細な説明】
【０００１】
本発明は、外方に折り曲げられて回りを囲む容器縁を有しかつ炊事材料を収容するために使われる容器を有し、かつ外方に折り曲げられて回りを囲む蓋縁を有しかつ容器上に載せることができる蓋を有し、容器が、載せられた蓋によって、容器縁及び蓋縁に作用する閉鎖機構により圧力密に閉じることができ、閉鎖機構が、ほぼ容器周全体にわたって延びかつその高さにおいて大体において変形不可能であるが半径開口方向に弾性変形可能な自己剛体の閉鎖リングを有し、この閉鎖リングが、半径方向内方に開いたＣプロファイル横断面を有し、この閉鎖リングが、蓋に配置された操作機構によって、閉鎖リングの下側脚から容器縁を釈放するので容器から蓋を取り外すことができる大きな直径を有する開き位置から、閉鎖リングの下側脚と上側脚との間にパッキンリングを挟んで容器縁と蓋縁を一緒にクランプする小さな直径を有する閉鎖位置に移行可能である、炊事容器に関する。
【０００２】
このような炊事容器は、例えばＰＣＴ出願公開第ＷＯ９６３５６２１号明細書により公知である。ここでは外方に折り曲げられた回りを囲む容器縁を有する容器のための蓋が設けられている。容器は、周囲において容器の縁に作用する閉鎖機構を有する。そのために蓋の縁に、弾性特性を有する金属からなる開いた閉鎖リングが収容されており、この閉鎖リングは、直径において閉鎖リングを拡張した際に増加するばね力を有する。閉鎖リングは、その不動作位置において、回りを囲む容器縁の部分の端部範囲と蓋縁にリング状に形成された折り曲げられた部分の端部範囲との間において締付けられている。閉鎖機構は、このばね力に抗して閉鎖リングの直径を拡張するための手段を含む。閉鎖リングは、閉鎖機構が取付けられたその両方の端部の間に完全に端から端まで延びた壁を備えたＣプロファイルである。閉鎖位置において閉鎖リングが完全に丸い形を占めないことは、その際に不利であるが、このことは、できるだけ大きな安全性の理由により求められる。公知の閉鎖リングが、圧力を吸収できるようにするため、したがって蒸気圧力炊事容器の与えられた動作条件においてその高さについて大体において変形することがないように、一方において比較的厚い材料からならなければならないが、他方において半径方向に必要な弾性及び容易な調節可能性を持つようにするということは、さらに不利である。これらの要求を相互に満たすことは困難である。
【０００３】
本発明の課題は、とくに従来の技術のこれらの欠点を除去し、かつ技術的な費用の増加なしにさらに高い安全性と容易な操作能力を有する、初めに述べたような炊事容器を提案することにある。
【０００４】
この課題は、本発明の主思想にしたがって次のようにして解決される。すなわち閉鎖リングの回りを囲む脚が、周にわたって分配されかつ内側脚縁に向かって開いた所定の長さ及び幅の半径方向スリットを備えており、かつ／又は脚が、周にわたって分配された中間空間を空けて半径方向外方において回りを囲むリング状の結合要素に取付けられた周方向に短いＣプロファイル区間によって形成されている。
【０００５】
それにより多数の利点が同時に達成される：長さ及び幅によるスリット又は中間空間の選択によって、開き力は、最適な操作能力を考慮して、その高さにおける閉鎖リングの非変形能力をがまんすることなく調節することができる。それ故に閉鎖リングに対して又は個々のＣプロファイル区間に対して、閉鎖の安全性を高めるために比較的大きな材料厚さを使用することができる。それにより容易な操作能力は害されない。スリット又は中間空間の数とともに、円形への閉鎖リングの近似は増大し、このことは、同様に安全性の上昇に貢献する。
【０００６】
閉鎖リングの脚が異なった長さを有し、したがって下側の脚が上側のものより短いので、閉鎖リングが外方へ開き位置に移行する際に、容器縁が下側の脚からすでに釈放されるが、一方上側の脚がまだ蓋縁に案内されているとき、異なったスリット長さを介して、両方の脚におけるスリットがそれぞれＣプロファイル背部の前に同じ間隔を置いて終っていることによって、上側及び下側の脚範囲における半径方向変形能力の平衡を提供することができる。
【０００７】
動作確実性のそれ以上の改善は、次のようにして達成することができる。すなわち閉鎖リングが、例えばばね要素によって蓋に取り外し可能に保持されかつ例えば合成物質からなるカバーリングにおいて、蓋軸線に対して垂直な方向に案内されている。
【０００８】
本発明の別の構成において、閉鎖リングは、その開き位置において、例えばカバーリングによって形成されかつ蓋周に対して平行に延びた外側周肩部に接しているので、これは、外周において心出しされる。このことは、閉鎖リングの下側脚の内側の縁エッジが、閉鎖リングの開き位置において、蓋の妨害のない載置及び取り外しを保証するために、容器の相応する縁エッジからわずかな間隔を有するだけでよいという利点を有する。
【０００９】
さらに別の本発明の特徴によれば、一方において容器縁及び蓋縁の縁エッジが、かつ他方において閉鎖リングの両方の脚が、互いに向き合うような折り曲げ部を有すると有利であり、それにより当該の縁及び脚の支持だけでなく、これらの要素相互の確実な案内も保証される。
【００１０】
本発明のなお別の構成によれば、閉鎖リングは、その開き位置において、その直径を減少する、したがって意図的にこれを阻止しないときに自動的に閉鎖位置に移行する傾向を有するように、初応力をかけられている。このことは、安全性のそれ以上の上昇に貢献する。
【００１１】
本発明により構成された炊事容器の簡単な操作は、とくに閉鎖リングの両方の端部が、力を導入するために、操作機構になるべく形状結合して結合されているときに得られる。
【００１２】
その際、操作機構内において、操作要素の運動から周方向における閉鎖リング端部の運動への力の変換及び場合によっては力の転向を行なうことができる。
【００１３】
閉鎖リングが自動的にその開き位置から閉鎖位置に達し、又はその逆になることを避けるために、操作機構、したがって閉鎖リングの端部の位置も及び／又は閉鎖リング自体が、開き位置及び／又は閉鎖位置において拘束可能であることができる。
【００１４】
さらに安全上の理由により、操作機構がゼロ圧力安全装置に連結可能であり、しかも容器内部が圧力逃しされているときにだけ、閉鎖位置から開き位置に閉鎖リングを広げる操作を開始することができるように連結可能である。
【００１５】
その際、操作機構は、次のように構成すると目的に合っている。すなわち開くためにこれを操作する際に、まず容器内部が圧力なしになるまで蒸気逃しされ、それにより場合によっては設けられたゼロ圧力安全装置が、それ以上の操作経路を可能にし、閉鎖リングの端部が、係止部材によってロック解除され、かつ操作要素が、閉鎖リングを開くために釈放されるので、閉鎖リングの端部が、周方向に互いに離れるように可動である。
【００１６】
操作機構は、操作要素として摺動体を有することができ、それによりゼロ圧力安全装置、別の操作要素として閉鎖リングを開く回転ボタンが、したがって閉鎖リングの端部がロック可能である。
【００１７】
本発明のその他の目的、特徴、利点及び適用能力は、図面による実施例の次の説明から明らかである。その際、説明されかつ／又は図によって示されたすべての特徴は、個々の特許請求の範囲のその要約又はその引用に関係なくとも、それ自体又は任意の組合せにおいて本発明の対象である。
【００１８】
図に示された炊事容器は、炊事材料を収容する容器１、及び容器１を圧力密に閉じることができる蓋３からなる。容器１は、外方に折り曲げられたなめらかに回りを囲む容器縁２を有し、かつ蓋３は、外方に折り曲げられたなめらかに回りを囲む蓋縁４を有する。容器縁２と蓋縁４は、それぞれその外側に回りを囲む縁エッジにおいて、−図面に示すように−上方に又は下方に向いた折り曲げ部１４を備えている。
【００１９】
炊事容器のための閉鎖機構は、大体において容器周全体にわたって延びかつその高さにおいて大体において変形不可能であるが半径開口方向に弾性変形可能な自己剛体の閉鎖リング６を有し、この閉鎖リングが、半径方向内方に開いたＣプロファイル横断面を有する。蓋３に配置された操作機構７によって、閉鎖リング６は、大きな直径を有する開き位置から、小さな直径を有する閉鎖位置に移行可能である。閉鎖リング６の開き位置において、容器縁２は、閉鎖リング６の下側脚８から釈放されているので、蓋３は、容器１から上方へ取り外すことができる。閉鎖リングが開き位置におけるものよりも小さな直径を占めるこの閉鎖リング６の閉鎖位置において、容器縁２と蓋縁４は、Ｃプロファイルとして形成された閉鎖リング６の下側の短い脚８と上側の長い脚９との間にパッキンリング５を挟んで一緒にクランプされている。
【００２０】
図４ａないし５ｂから明らかなように、閉鎖リング６は、その両方の脚８、９において、周にわたって分配されて選択可能な長さ及び幅のスリット１０を有し、又は閉鎖リング６は、リング状に回りを囲む例えば線材からなる結合要素１１’によって形成することができ、この結合要素にそれより短い長さのＣプロファイル区間６’が、周にわたって均一に分配されて中間空間１０’を有するように取付けられており、例えば点結合されている。
【００２１】
図４ａから明らかなように、スリット１０は、短い方の下側の脚８及び長い方の上側の脚９において異なった長さを有するが、これらのスリットは、異なった脚の長さを補償するためにそれぞれＣプロファイル背部１１から同じ間隔を置いて終っている。
【００２２】
図２ないし３ｂから明らかなように、閉鎖リング６の脚８、９の内側の回りを囲む縁エッジも、容器縁２及び蓋縁４におけるように、これら要素相互の補強及び案内を達成するために、斜め内方に向いた折り曲げ部１４を備えている。
【００２３】
図３ａ及び３ｂに示された実施例において、閉鎖部６が、その開き及び閉鎖運動の際に、合成物質からなるカバーリング１２において、回転軸線に対して垂直に案内されており、このカバーリングは、（図示しない）ばね要素によって蓋３の金属部材に取付けることができる。このカバーリング１２は、閉鎖リング６のための操作機構７（図６ないし８参照）を収容するためにも適している。さらにカバーリング１２は、周肩部１３を形成しており、この周肩部に、図３ａに示すその開き位置における閉鎖リング６が、そのＣプロファイル背部１１によって接しており、かつそれにより心出しして保持される。
【００２４】
図１及び６ないし８から明らかなように、操作機構は、半径方向に可動の係止部材１５を有し、この係止部材は、閉鎖位置において、閉鎖リング６の端部区間１６をロックして囲んでいる。さらに操作機構７は、レバー伝動装置１７を有し、このレバー伝動装置は、例えば回転ボタンとして構成された（図示しない）別の操作要素の運動を、周方向における閉鎖リング６の端部の運動に変換する。
【００２５】
開き過程は、大体において次のように行なわれる：操作機構７の摺動体１８の操作によって、容器内部は、まず蒸気逃しによって圧力なしにされる。この時、ゼロ圧力安全装置は、摺動体１８のその後の操作経路を可能にする。それにより係止部材１５は、その開き位置に移行することができる。同時に回転ボタンが釈放されるので、閉鎖リング６は開くことができる。回転ボタンの回転は、閉鎖リング６の端部を周方向に互いに離れるように動かすので、閉鎖リング６は、これが心出しされてカバーリング１２の周肩部１３に接するまで、その直径において広がる。開いた位置において回転ボタンは係止できるので、閉鎖リング６は、その初応力によって引起こされる狭くなる傾向に抗して、その円形の心出しされた開き位置に維持される。この位置において蓋３は、閉鎖リング６の下側の脚８から容器縁２が釈放されているので、容器１から上方に簡単に取り外すことができる。
【００２６】
閉鎖のために回転ボタンは、反対の方向に回され、それにより閉鎖リング６は、その端部の集合によって閉鎖位置にされ、この位置において容器縁２と蓋縁４は、閉鎖リング６の脚８、９によってパッキンリング５を挟んで締付けらる。この過程は、閉鎖リング６の初応力によって支援され、それにより高度の操作快適性が保証されている。ロックは、この時、前記のように摺動体１８によって行なわれる。
【図面の簡単な説明】
【図１】  本発明を示す炊事容器のための蓋を下から見て示す図である。
【図２】  １つの構成により図１の切断線Ａ−Ａに相当する本発明を示す炊事容器の垂直断面図である。
【図３ａ】  別の構成の本発明による蓋を示す図２に相当する垂直断面図であり、その際、閉鎖リングが開き位置にある。
【図３ｂ】  別の構成の本発明による蓋を示す図２に相当する垂直断面図であり、その際、閉鎖リングが閉鎖位置にある。
【図４ａ】  １つの構成の閉鎖リングの一部区間を示す平面図である。
【図４ｂ】  ここに記入された切断線Ａ−Ａに相当する図４ａの閉鎖リングの断面図である。
【図５ａ】  別の構成の閉鎖リングの一部区間を示す平面図である。
【図５ｂ】  ここに記入された切断線Ａ−Ａに相当する図５ａの閉鎖リングの断面図である。
【図６】  本発明を示す操作機構を有する蓋を斜め下から見て一部切り欠いて示す図である。
【図７】  閉鎖リングのための操作機構の範囲における本発明による炊事容器の別の図である。
【図８】  閉鎖リングのための操作機構の範囲における本発明による炊事容器の別の図である。
【図１】
0003637532.tif 000002
【図２】
0003637532.tif 000003
【図３ａ】
0003637532.tif 000004
【図３ｂ】
0003637532.tif 000005
【図４ａ】
0003637532.tif 000006
【図４ｂ】
0003637532.tif 000007
【図５ａ】
0003637532.tif 000008
【図５ｂ】
0003637532.tif 000009
【図６】
0003637532.tif 000010
【図７】
0003637532.tif 000011
【図８】
0003637532.tif 000012